Podtech/llm-jp-corpus-v4-ja_patent huggingface dataset:
(57)【要約】【課題】１本のプロペラ軸で処理物を均一に撹拌する。【解決手段】円筒形容器１の中心に回転軸２を回転自在に支持する。回転軸の周りに間隔を存して複数のプロペラブレード３を植え付ける。各プロペラブレードは長さの略中央で捻れており、根元側半分３ａと先端側半分３ｂが正負逆のピッチを備えていて、一方が右ねじ、他方が左ねじになっている。【選択図】図１
2006297250.tif 000002
【特許請求の範囲】
【請求項１】
処理物を受容する容器と、その中に支持されている回転軸と、該回転軸の周りに相互に間隔をおいて植設された複数のプロペラブレードからなり、各プロペラブレードは根元側と先端側とでピッチが正負逆に形成され、根元側と先端側が処理物を互に反対方向に押しやるように構成されていることを特徴とする撹拌機。
【発明の詳細な説明】
【技術分野】
【０００１】
本発明は、乾燥等の工程において生ゴミ等の処理物を容器内に設けた回転撹拌具で混合する撹拌機に関する。
【背景技術】
【０００２】
処理物を容器内に設けた回転撹拌具で混合する装置は乾燥工程等で広く使用されている。従来のものは容器内を万遍なく撹拌するために回転撹拌具を複数必要とし、また、容器を傾ける等の搬出装置が別に必要であったりして、製造コストが高いものになっていた。
【発明の開示】
【発明が解決しようとする課題】
【０００３】
この発明は、均一な撹拌および撹拌後の処理物の排出が１本のプロペラ軸だけでできるようにすることを課題とする。
【課題を解決するための手段】
【０００４】
この発明の撹拌機は、処理物を受容する容器と、その中に支持されている回転軸と、その軸の周りに間隔をおいて植設された複数のプロペラブレードからなる。そして、プロペラブレードは根元側と先端側とでピッチが正負逆に形成され、根元側と先端側が処理物を互に反対方向に押しやるように構成されている。回転軸は水平に支持するが、少し傾斜を設けてもよい。
【０００５】
この装置では、容器内に生ゴミ等の処理物を入れてプロペラ軸を駆動すると、処理物がプロペラブレードで掻き揚げられては落下するという動きを繰り返し、その過程で撹拌される。他方、プロペラブレードの根元側と先端側は、ピッチが逆になっているので、それぞれ反対方向に処理物を押しやる。この結果、処理物が容器内で連続的に循環し、その動きの中で前述の撹拌が行われるので、効率よい撹拌が行われる。また、このように処理物が循環しているので、循環する処理物を待ち構える位置に排出口を設けて、それを開閉するだけで、処理物を容器の外に取り出すことができる。
【０００６】
このように、この装置は、一本のプロペラ軸だけで効率よい撹拌ができ、構造が極めてシンプルであり、安価に提供することができる。
【発明を実施するための最良の形態】
【０００７】
図１に示す撹拌機は、残飯・野菜屑等の生ゴミを乾燥して肥料を作るためのものであり、円筒形容器１の中心に回転軸２を回転自在に支持する。回転軸の周りに間隔を存して複数のプロペラブレード３を植え付ける。図２、図３に示すように、各プロペラブレードは長さの略中央で捻れており、根元側半分３ａと先端側半分３ｂが正負逆のピッチを備えている。プロペラをねじに例えれば、根元側が右ねじ、先端側が左ねじになっている。
【０００８】
容器１の上部中央には、処理物の投入口５、下部一端には排出口６を設ける。また、容器上部に熱風吹込み口７と排気口８を設ける。容器１の周面にはジャケット９を設け、中に熱媒体としての作動液を入れる。容器の下部には、その作動液を加熱するための電熱ヒータ１０を設ける。符号１１は冷却用の水パイプである。
【０００９】
この装置の動作を説明すると、投入口５から容器内に処理物（生ゴミ）１２を回転軸２が隠れる程度入れ、図示しないモータで回転軸２を回転駆動する。回転数は50〜100rpmほどである。
【００１０】
このときの容器内の処理物１２の動きであるが、図２に矢印１４で示すように、１枚１枚のプロペラブレード３は処理物の中から外に出るときに処理物１２を空中に掻き揚げ、掻き揚げられた処理物は自重で落下する。処理物は、こうして掻き揚げ、落下の動きによって撹拌される。
【００１１】
次に図１で見ると、各プロペラブレード３の根元側半分３ａは右ねじになっているので、回転軸２の近くにあるの処理物は右方向に送られ、他方、先端側半分３ｂは左ねじになっているので、回転軸から離れたところの処理物は右方向に搬送される。こうして、容器内には、容器の軸方向に沿った処理物の連続的な循環流が生成され、前記のプロペラブレードの掻き揚げと相まって、効率よい撹拌が行われる。
【００１２】
撹拌運転中、容器内には吹込み口７から熱風が吹き込まれ、また、ジャケット９の作動液がヒータ１０で加熱されるので、容器内は高温に保たれ、処理物１２から水分が蒸発して短時間のうちに粉末肥料になる。
【００１３】
容器下部の排出口６は、循環して動いているゴミを待ち構える位置にあり、これを開けるだけで、粉末肥料が排出口を通り抜け、シュータ１３から外部に排出される。
【００１４】
各ブレードの先端形状は処理物の種類に適合した形状にすることができ、例えば処理物の比重が小さい場合、図４に示すように、各ブレードの先端にピッチングプレート１５を取り付けると、軽いものも確実に捕捉でき撹拌効率が低下しない。
【図面の簡単な説明】
【００１５】
【図１】撹拌機の縦断面図である。
【図２】同じく横断面図である。
【図３】プロペラ軸の斜視図である。
【図４】先端にピッチングプレートを取り付けたプロペラブレードの説明図である。
【符号の説明】
【００１６】
１    容器
２    回転軸
３    プロペラブレード
３ａ  根元側
３ｂ  先端側
１２  処理物（生ゴミ）
【図１】
2006297250.tif 000003
【図２】
2006297250.tif 000004
【図３】
2006297250.tif 000005
【図４】
2006297250.tif 000006
(57)【要約】【課題】接着剤容器に充填された接着剤を、先端がニードルで形成された小径のシリンジに移すに当って、小径のシリンジへの接着剤の注出が容易である。【解決手段】接着剤の充填された容器本体１と、容器本体１の開口４を塞ぐ内蓋２と、この内蓋２にかぶせ、内面にパッキンの付着された外蓋３とを備え、内蓋２には容器本体１の接着剤を注出する小出し口５が設けられ、この小出し口５は内蓋２に外蓋３をかぶせることにより外蓋３内面のパッキンで塞がれて構成される。【選択図】図１
2006297215.tif 000002
【特許請求の範囲】
【請求項１】
接着剤の充填された容器本体と、該容器本体の開口を塞ぐ内蓋と、この内蓋にかぶせ、内面にパッキンの付着された外蓋とを備え、前記内蓋には容器本体の接着剤を注出する小出し口が設けられ、この小出し口は内蓋に外蓋をかぶせることにより外蓋内面のパッキンで塞がれてなる接着剤容器。
【請求項２】
請求項１において、容器本体の接着剤は先端がニードルで形成された小径のシリンジに注出され、このニードルを通して半導体または電子機器の精密部品の接着に適用される請求項１に記載の接着剤容器。
【請求項３】
請求項１において、接着剤が紫外線硬化型接着剤である請求項１に記載の接着剤容器。
【発明の詳細な説明】
【技術分野】
【０００１】
本発明は半導体部品、電子機器部品等、精密部品の接着に適用される接着剤容器に係り、特に、先端がニードルで形成された小径のシリンジに容器内接着剤を注出し、このニードルを通して接着剤が半導体、電子部品等の精密部品に適用され、小径のシリンジへの接着剤の注出が容易な接着剤容器に関する。
【背景技術】
【０００２】
半導体部品、電子機器部品等の精密部品を接着剤で接着して組み立て、各種製品を製作するに際し、従来、容器に貯蔵された接着剤を先端がニードルで形成された小径のシリンジに移し、このニードルを通して接着剤を各精密部品に吐出し、接着が行われている。
【０００３】
しかし、従来では、接着剤の貯蔵されている容器は特別の注出口を有さず、このため接着剤を大きな開口から小径のシリンジに移さなければならず、シリンジへの移送が非常にむずかしかった。
【特許文献１】なし
【発明の開示】
【発明が解決しようとする課題】
【０００４】
本発明が解決しようとする課題は接着剤容器に充填された接着剤を、先端がニードルで形成された小径のシリンジに移すに当って、小径のシリンジへの接着剤の注出が容易であり、上述の公知技術に存する欠点を改良した接着剤容器を提供することにある。
【課題を解決するための手段】
【０００５】
上述の課題を解決するため、本発明の接着剤容器によれば、接着剤の充填された容器本体と、該容器本体の開口を塞ぐ内蓋と、この内蓋にかぶせ、内面にパッキンの付着された外蓋とを備え、前記内蓋には容器本体の接着剤を注出する小出し口が設けられ、この小出し口は内蓋に外蓋をかぶせることにより、外蓋内面のパッキンで塞がれてなることを特徴とする。
【発明の効果】
【０００６】
上述の本発明にかかる接着剤容器は内蓋に容器本体の接着剤を注出する小出し口を設け、これにより、小出し口から接着剤をシリンジに注出し、小径のシリンジへの接着剤の注出が容易となる。
【０００７】
さらに、小出し口は内蓋に外蓋をかぶせることにより外蓋内面のパッキンで塞がれ、このため、小出し口から接着剤が漏れることなく、接着剤容器を保存できる。
【発明を実施するための最良の形態】
【０００８】
以下、本発明を添付図面を用いて詳述する。
【０００９】
図１は本発明にかかる接着剤容器の一具体例の分解斜視図である。図２は外蓋を内蓋にかぶせた状態の断面図である。図３は本発明接着剤容器の使用状態を表した斜視図である。
【００１０】
図１および図２に示されるように、本発明接着剤容器Ａは容器本体１と、内蓋２と、外蓋３とを備えて構成される。
【００１１】
容器本体１は開口４を有し、この開口４から接着剤を容器本体１に充填し、内蓋２によって開口４が塞がれる。接着剤としては、例えば紫外線硬化型（ＵＶ）接着剤が用いられる。
【００１２】
内蓋２には容器本体１に充填された接着剤を注出する小出し口５が設けられる。接着剤９はこの小出し口５から図３に示されるように、先端６がニードル７で形成された小径のシリンジ８に注出され、ニードル７を通して半導体の部品、電子機器の部品等の精密部品に吐出され、組み立てられて各種製品を製作する。
【００１３】
本発明接着剤容器Ａでは、内蓋２に容器本体１の接着剤を注出する小出し口５を設け、この小出し口５から接着剤９をシリンジ８に注出するようにしたから、小径のシリンジ８への接着剤９の注出が容易になる。
【００１４】
外蓋３には図２に示されるように、内面にゴム、プラスチック等からなるパッキン１１が付着され、内蓋２に外蓋３をかぶせることによりパッキン１１で小出し口５が塞がれる。したがって、小出し口５から接着剤が漏れる心配がなく、接着剤容器Ａを安全に保存できる。
【産業上の利用可能性】
【００１５】
上述のとおり、本発明にかかる接着剤容器Ａは内蓋２に小出し口５を設け、この小出し口５から接着剤９をシリンジ８に注出するようにしたから、小径のシリンジ８への接着剤９の注出が容易である。
【００１６】
さらに、小出し口５は内蓋２に外蓋３をかぶせることにより外蓋３のパッキン１１で塞がれ、このため、小出し口５から接着剤が漏れることなく、安心して接着剤容器Ａを保存せきる。したがって、本発明接着剤容器Ａは精密部品分野での利用性が高い。
【図面の簡単な説明】
【００１７】
【図１】本発明にかかる接着剤容器の一具体例の分解斜視図である。
【図２】外蓋を内蓋にかぶせた状態の断面図である。
【図３】本発明接着剤容器の使用状態を表した斜視図である。
【符号の説明】
【００１８】
Ａ  接着剤容器
１  容器本体
２  内蓋
３  外蓋
４  開口
５  小出し口
６  先端
７  ニードル
８  シリンジ
９  接着剤
１０  つまみ
１１  パッキン
【図１】
2006297215.tif 000003
【図２】
2006297215.tif 000004
【図３】
2006297215.tif 000005
(57)【要約】      （修正有）【課題】設備費が嵩むことなく、バグフィルタ外面の結露を防止することができるようにした排ガス浄化設備を提供する。【解決手段】高温の含塵ガスを、加圧エアを介して冷却する空冷式熱交換器1によりバグフィルタの耐熱温度以下に冷却した後バグフィルタ式集塵機2に供給してその粉塵を捕集し、さらに逆洗エアのバグフィルタ内への吹込みによりバグフィルタに付着した粉塵を払い落とすようにした排ガス浄化設備において、空冷式熱交換器1から排出される高温の加圧エアを逆洗エアとしてバグフィルタ内に吹き込むように構成したことを特徴とする。【選択図】    図１
2006297265.tif 000002
【特許請求の範囲】
【請求項１】
高温の含塵ガスを、加圧エアを介して冷却する空冷式熱交換器によりバグフィルタの耐熱温度以下に冷却した後バグフィルタ式集塵機に供給してその粉塵を捕集し、さらに逆洗エアの前記バグフィルタ内への吹込みにより前記バグフィルタに付着した粉塵を払い落とすようにした排ガス浄化設備において、
前記空冷式熱交換器から排出される高温の加圧エアを前記逆洗エアとして前記バグフィルタ内に吹き込むように構成したことを特徴とする排ガス浄化設備。
【発明の詳細な説明】
【技術分野】
【０００１】
本発明は、排ガス浄化設備の改良に関する。
【背景技術】
【０００２】
従来、排ガス浄化設備の一つとして、高温の含塵ガスをバグフィルタ式集塵機に供給してその粉塵を捕集し、さらに前記バグフィルタに付着した粉塵を逆洗エアの吹込みによって払い落とすようにしたものがある。
【０００３】
ところで、このように構成された従来の排ガス浄化設備では、大気中のエアがコンプレッサや送風機などによって加圧されて逆洗エアとしてバグフィルタ内に吹き込まれるため、この逆洗エアがバグフィルタの外周に位置する含塵ガスを冷却し、その結果、含塵ガスの水分がバグフィルタの外面に結露する。そのため、逆洗エアを別途設けた加熱手段によって予め加熱することが提案されている。
【特許文献１】実開昭６１−１３０３１７号公報
【発明の開示】
【発明が解決しようとする課題】
【０００４】
しかし、このように構成された従来の排ガス浄化設備では、大気中のエアを加圧するためのコンプレッサや送風機と、大型で高価な加熱手段が必要なため、設備費が嵩むなどの問題があった。
本発明は、上記の問題を解消するためになされたもので、その目的は、設備費が嵩むことなく、バグフィルタ外面の結露を防止することができるようにした排ガス浄化設備を提供することにある。
【課題を解決するための手段】
【０００５】
上記の目的を達成するために本発明の排ガス浄化設備は、高温の含塵ガスを、加圧エアを介して冷却する空冷式熱交換器によりバグフィルタの耐熱温度以下に冷却した後バグフィルタ式集塵機に供給してその粉塵を捕集し、さらに逆洗エアの前記バグフィルタ内への吹込みにより前記バグフィルタに付着した粉塵を払い落とすようにした排ガス浄化設備において、前記空冷式熱交換器から排出される高温の加圧エアを前記逆洗エアとして前記バグフィルタ内に吹き込むように構成したことを特徴とする。
【０００６】
このように構成されたものは、空冷式熱交換器から排出される高温の加圧エアをバグフィルタ内に吹き込み逆洗エアとして利用するため、バグフィルタの外周に位置する含塵ガスを冷却することなく、バグフィルタの粉塵を払い落とすことができる。
【発明の効果】
【０００７】
以上の説明から明らかなように本発明は、高温の含塵ガスを、加圧エアを介して冷却する空冷式熱交換器によりバグフィルタの耐熱温度以下に冷却した後バグフィルタ式集塵機に供給してその粉塵を捕集し、さらに逆洗エアの前記バグフィルタ内への吹込みにより前記バグフィルタに付着した粉塵を払い落とすようにした排ガス浄化設備において、
前記空冷式熱交換器から排出される高温の加圧エアを前記逆洗エアとして前記バグフィルタ内に吹き込むように構成したから、バグフィルタの外周に位置する含塵ガスを逆洗エアが冷却することがないため、結露のバグフィルタ外面への発生を未然に防止して、バグフィルタの粉塵を適確に払い落とすことができるなどの優れた実用的効果を奏する。
【発明を実施するための最良の形態】
【０００８】
以下、本発明を適用した排ガス浄化設備の最良の形態について図１に基づき詳細に説明する。本排ガス浄化設備は、図示するように、高温の含塵ガスを加圧エアを介してバグフィルタの耐熱温度以下に冷却する空冷式熱交換器1と、この空冷式熱交換器1に図示しないダクトを介して連通接続されて空冷式熱交換器1から排出された含塵ガスの粉塵を捕集するバグフィルタ式集塵機2と、このバグフィルタ式集塵機2に装着されかつ前記空冷式熱交換器1に図示しないダクトを介して連通されて空冷式熱交換器1から排出された高温の加圧エアを逆洗エアとして前記バグフィルタ式集塵機2のバグフィルタ内に吹き込む逆洗エア吹込み手段3と、で構成してある。
【０００９】
そして、前記空冷式熱交換器1には大気中のエアを加圧してこの空冷式熱交換器1に送り込む送風機4が接続してあり、さらに、前記バグフィルタ式集塵機2には、前記空冷式熱交換器1から排出された含塵ガスをこのバグフィルタ式集塵機2に吸い込む排風機5が接続してある。
【００１０】
このように構成したものは、送風機4によって空冷式熱交換器1に送り込まれて高温の含塵ガスを冷却した後この空冷式熱交換器1から排出される高温の加圧エアを、逆洗エア吹込み手段3を介してバグフィルタ式集塵機2のバグフィルタ内に吹き込み逆洗エアとして利用する。これにより、空冷式熱交換器1からの高温加圧エアは、バグフィルタの外周に位置する含塵ガスを冷却することなく、バグフィルタの粉塵を払い落とすこととなる。
【図面の簡単な説明】
【００１１】
【図１】本発明の最良の形態を示す模式面図である。
【符号の説明】
【００１２】
1         
空冷式熱交換器
2         
バグフィルタ式集塵機
3         
逆洗エア吹込み手段
【図１】
2006297265.tif 000003
(57)【要約】【課題】  従来はペットボトルを潰すのは大変だった。したがってリサイクルに影響が出ていた。ペットボトルを潰すのを簡単にするために、テーパー付きシリコンゴム吸引口と導管を提供する。【解決手段】  様々な大きさのペットボトルの注ぎ口（大小）に対応するのに、吸引口にテーパー▲１▼を付け、吸引口着脱口▲２▼を付けた事を特徴とする。【選択図】  図１
2006297475.tif 000002
【特許請求の範囲】
【請求項１】
▲１▼▲２▼吸い込み口にテーパーを付け掃除機による吸引器具
【発明の詳細な説明】
【技術分野】
【０００１】  この発明は、吸い込み導管にテーパーの付いた吸い込み口を付けた器具に関するものである。
【背景技術】
【０００２】  従来ペットボトルをつぶすことが難しかった。
【発明の開示】
【発明が解決しようとする課題】
【０００３】  これは次のような問題点があった。
・ペットボトルは潰すことが難しいこと。
・ペットボトルを潰さずにゴミ袋に入れると、すぐにかさばってしまい、あまり袋に入らないこと。
本発明は、以上のような欠点をなくすためになされたものである。
【課題を解決するための手段】
【０００４】  シリコンゴム製のテーパー付き吸い込み口を取り付ける。
以上の構成よりなる吸い込み口付き吸引器具である。
【発明の効果】
【０００５】  掃除機でこの吸引器具を使い、ペットボトルを圧縮して潰すため、力が要らず身体的な負担なく潰せるため、小さい子からお年寄りまで使え、リサイクルしやすくなる。
【発明を実施するための最良の形態】
【０００６】  以下、本発明の実施例について説明する。
▲１▼テーパー付き吸引口を設け、吸引口着脱部▲２▼を掃除機に取り付ける。
本発明は、以上のような構造でこれを使用するときは、掃除機に取り付け、ペットボトルを圧縮すればよい。
【図面の簡単な説明】
【０００７】
【図１】本発明の斜視図である。
【符号の説明】
【０００８】▲１▼吸引口テーパー部
▲２▼吸引口着脱部
【図１】
2006297475.tif 000003
(57)【要約】【課題】  従来の投入機は支柱レールの先端部が曲げ構造で複雑であった為、少量生産における製造コストが大きく非常に高価なものであった。又量産生産では、多様化している生ゴミ処理機やごみ焼却炉の仕様にあった対応が出来ず問題であった。【解決手段】  既設の便器への取付部品は布ベルト、ゴム製ベルト或いは樹脂製ベルトのように軟らかい材料等を使用し、更に両面テープ或いはマジックテープ等を介し幼児用補助便座が取り付け（セット）られるよう構成さているため既設の便器に傷を残す心配がない。  上記のような部品で構成されているため全体的に構造が簡素化され主要部品点数も少なくコストがかからず安価に出来る【選択図】    図１
2006297041.tif 000002
【特許請求の範囲】
【請求項１】
既設の大人用洋式便器に孔をあけたり、切り込んだりして便器を傷めることなく容易に組み付け（セット）が出来、且つ大人或いは幼児が使用する際は、其々ワンタッチで容易に切り替えが出来る事を特徴とした幼児用補助便座
【請求項２】
請求項１においてワンタッチ切り替えできる幼児用補助便座のセットは布材、軟性樹脂材、マジックファスナー或いは吸盤等を使用し、金属或いは既設の便器に傷を残す恐れのない構造である事を特徴とした幼児用補助便座
【発明の詳細な説明】
【技術分野】
【０００１】  大人用洋式便器において幼児が便器を使用する際の補助用便座に関するものである。
【背景技術】
【０００２】  大人用洋式便器において幼児が使用する場合、便座の穴が大きくて幼児が座るには危険である。これらに対応するものとして、安心して幼児が使用出来る幼児兼用便器、その都度着脱して使用する着脱式幼児用補助便座あるいは既設の大人用便器に後取付するワンタッチで切り替えできる幼児用補助便座等がある。しかし幼児兼用便器は一体構造であり常に大人と幼児が使用するような公共の場でないとその価値を失う。即ち子供が幼児時の一時（いっとき）でしか活用できない幼児兼用便器は一般家庭で使用するには実用的でない。着脱式幼児用補助便座はその都度着けたり外したりと面倒なだけでなく、トイレは狭くて着脱式幼児用補助便座の置き場所にも苦労しているのが一般的だある。また既存のワンタッチで切り替えできる幼児用補助便座はセットする際、便器本体に孔を明けたり加工を施し、便器を傷める構造となっている。またこのように加工し便器本体を傷めてセットする構造では幼児用便座を使用しなくなった後々の事を考えた時、傷が残り美感上問題である。本考案はこれらを解決させた構造で且つ安価なワンタッチで切り替えできる幼児用補助便座を提供するものである。
【発明の開示】
【発明が解決しようとする課題】
【０００３】  幼児が安心して使用出来る幼児兼用一体型便器、あるいは既設の便器に後取付する幼児用補助便座は高価であり、一般家庭では勿論実際ホテルや公共のトイレには殆ど使用されていないのが実態である。またワンタッチで切り替えできる既存の幼児用補助便座にあっては、便器本体に加工を加え傷を残す為、一般家庭用では使用するのに抵抗がある。本考案は既設の大人用洋式便器に孔をあけたり、切り込んだり便器を傷めることなく容易に組み付け（セット）が出来る構造とし、且つ大人或いは幼児が使用する際は、其々ワンタッチで容易に切り替えが出来る幼児用補助便座を提供するものである。
【課題を解決する為の手段】
【０００４】  上記課題を解決するために本考案が採った手段は、大人用便器本体に孔を明けたり、傷を残すことなく既設の便座部位に布ベルト、ゴム製ベルト或いは樹脂製ベルトのように軟らかい材料等を使用し、更に両面テープ、吸盤或いはマジックテープ等を介し幼児用補助便座が取り付け（セット）られるよう構成さている事を特徴とする。
（１）既設の便器への取付部品は布ベルト、ゴム製ベルト或いは樹脂製ベルトのように軟らかい材料等を使用し、更に両面テープ或いはマジックテープ等を介し幼児用補助便座が取り付け（セット）られるよう構成さているため既設の便器に傷を残す心配がない
（２）上記のような部品で構成されているため全体的に構造が簡素化され主要部品点数も少なくコストがかからず安価に出来る
【発明の効果】
【０００５】    従来の幼児兼用便器は一体構造であり常に大人と幼児が使用するような公共の場でないとその価値を失う。即ち子供が幼児時の一時的でしか活用できない幼児兼用便器は一般家庭で使用するには実用的でない。着脱式幼児用補助便座はその都度着けたり外したりと面倒なだけでなく、トイレ室は狭くて着脱式幼児用補助便座の置き場所にも苦労しているのが一般的だある。また既存のワンタッチで切り替えできる幼児用補助便座はセットする際、便器本体に孔を明けたり加工を施し便器を傷める構造となっている。またこのように取付の際便器本体を傷めてセットする構造では幼児用補助便座を使用しなくなった後々の事を考えた時、傷が残り美感上問題である。本考案は幼児用補助便座を取り付ける際、既設の大人用便器に傷をつけることがないため、後々幼児用として使用しなくなり幼児用補助便座を外した後も美観を失うことなく従来通りのまま使用出来ると言う効果またトイレ室が狭くても従来と全く同じように対応できと言う効果がある。更には非常に取り付け（セット）が容易で安価であるため、幼児時の僅かな期間での使用でも採用し易いと言う効果がある。
【発明を実施するための最良の形態】
【０００６】  既設の大人用洋式便器に、幼児のお尻の大きさに合わせて作られた幼児用補助便座の部位（幼児用補助便座を上げたり下ろしたりする為の回転部に取り付けられている布製、樹脂製或いはゴム製の部品で、一箇所或いは複数箇所でも良い）を大人用便器の便座上の適宜な位置に両面接着テープ、吸盤又は接着剤等（部品を外した時跡が残らない）を介して取り付け、幼児が使用する時は大人用便器の便座の上に下ろして使用し、又大人が使用する時は幼児用便座を回転させながら持ち上げ立てかけた状態にて置く又大人用便座不要の時は幼児用補助便座と共に立てかけた状態にして置く。
【実施例】
【０００７】以下添付図面に従って一実施例を説明する。
幼児のお尻の大きさに合わせて作られた幼児用補助便座（ａ）をベルト式蝶番（ｅ）の一端を両面テープで図のように既設便座（ｂ）に取り付け、他の一端を幼児用補助便座（ａ）の回転させる部の孔に通し簡単に幼児用補助便座（ａ）が着脱できるようマジックテープで図２のように固定した。通常使用している期間は既設便座（ｂ）を跳ね上げ回転することにより図２に示すように幼児用補助便座（ａ）も一緒に収められ、幼児も大人もワンタッチで使用出来ることを特徴とした幼児用補助便座である。尚ベルト式蝶番は既設便器蓋（ｃ）に取り付けても良い。
【図面の簡単な説明】
【０００８】
【図１】    全体を示した見取図である
【図２】    全体を示した側面図である
【符号の説明】
【０００９】ａ・・・・・幼児用補助便座
ｂ・・・・・既設便座
ｃ・・・・・既設便器蓋
ｄ・・・・・既設便器
ｅ・・・・・ベルト式蝶番
【図１】
2006297041.tif 000003
【図２】
2006297041.tif 000004
(57)【要約】      （修正有）【課題】  ・傘型物干しのアームを折りたためるようにし、小さな物を干す時スペースを取らないようにする。  ・アームにクリップを複数個付けて下着、靴下など小物を干しやすくする。  ・室内での使用時、止め具が桟等に止まり易くする。  ・収納する時、支柱を縮めて収納し易くする。【解決手段】  ・傘型物干しのアーム（１）の部分を折りたたみが出来る形にし、アーム（１）の根元部分、中間部分、先端部分にクリップ（２）を設け、支柱部分（３）の先端の止め部分を竿に止める留め具（４）と室内等に止める小さな止め具（４−１）を設ける。また、支柱部分（３）を伸縮自由にして、収納時スペースの効率を行う。【選択図】図１
2006297045.tif 000002
【特許請求の範囲】
【請求項１】
傘型物干しのアーム（１）の部分を折りたたみが出来る形にした、傘型折りたたみ物干し（Ａ）。
【請求項２】
傘型折りたたみ物干し（Ａ）のアーム（１）の根元部分、中間部分、先端部分にクリップ（２）を設けた傘型折りたたみ物干し。
【請求項３】
傘型折りたたみ物干し（Ａ）の支柱部分（３）の先端の止め部分を、竿に止める留め具（４）と、室内等に止める小さい留め具（４−１）の両方を設けた傘型折りたたみ物干し（Ａ）。
【請求項４】
傘型折りたたみ物干し（Ａ）の支柱部分（３）を伸縮可能な形状とした傘型折りたたみ物干し。
【発明の詳細な説明】
【技術分野】
【０００１】  この発明は、傘型物干しのアームを折りたたみが出来るようにし、そのアームにクリップを設け、また支柱は伸縮し、なお先端の止め具は通常の竿に干す大きさと、室内の桟等に止めやすい小さい止め具を設けた傘型折りたたみ物干しに関するものである。
【背景技術】
【０００２】  従来の傘型物干しは、支柱やアームの長さが固定であり、支柱を縮めたりアームを折りたたむことが出来なく、クリップの位置も限られていた。また、室内で使用する場合、支柱の留め具部分は１種類であった。
【発明が解決しようとする課題】
【０００３】  これは次のような欠点があった。
・従来、傘型物干しは、アームが固定であり、少量の洗濯物や小物を干す場合でも無駄なスペースを必要とし、下着、靴下等を干す場合もアームの途中にクリップが無く不便であり、支柱も伸縮が出来なく収納にもスペースが必要であった。また、室内に干す場合、止め具が大きく不安定であった。
【課題を解決するための手段】
【０００４】・アームを折りたためるようにする。
・アームの根元、中間、先端等に、クリップを取り付ける。
・支柱の先端部の止め具に室内等でも掛けられる留め具（小さいもの）を追加する。
・支柱を伸縮可能にする。
【発明の効果】
【０００５】  ▲１▼アームを折りたたむことにより、少量の洗濯物や小物を干す場合に必要とするスペースが少なくてよい。
▲２▼アームにクリップを数個付けることで、アームの根元や途中のクリップに下着等を吊るし、先端のクリップでタオル等を干すことで下着等を隠すことが出来る。
▲３▼小さい止め具を使用することにより、室内で使用する場合安定して止めることが出来る。
▲４▼収納時、支柱を縮めることによりスペースが少なくてよい。
【発明を実施するための最良の形態】
【０００６】以下、本発明を実施するための最良の形態について説明する。
・傘型物干しのアームを、折りたためる構造とする。
・アームの根元、中間、先端にクリーップを付ける。
・支柱の先端に２種類（大、小）の止め具を付ける。
・支柱が伸縮出来る構造とする。
【図面の簡単な説明】
【０００７】
【図１】  本発明の正面図である。
【符号の説明】
【０００８】（Ａ）：傘型折りたたみ物干し
（１）：アーム
（２）：クリップ
（３）：支柱部分
（４）：支柱先端の止め具
（４−１）：室内等に止める小さいとめ具
【図１】
2006297045.tif 000003
(57)【要約】【課題】本発明は災害時に瞬時に身を守るための防災具でガスボンベを交換することにより何回でも使用を繰り返し出来る身を守ることの出来るテント型の防災具である。【手段】この防災具は瞬時に身を隠せるようにするため備え付けのガスボンベの引き金を引きエアーバックの様にテント型に膨張します。そのテント型に膨張した中に身を隠します。強度の強い素材を使用しているためタンスなどが倒れてきても身を守ることの出来るエアー防災テントである。【選択図】  図１
2006297044.tif 000002
【特許請求の範囲】
【請求項１】
本発明防災テントに備え付いているガスボンベの引き金を引きエアーテントを膨張させます。
【請求項２】
ガスボンベは取り変え可能なため何回でも使用出来る。
【請求項３】
ガスが噴出し内部チューブに入りテント型に膨張しその中に身を隠すことが出来る。
【発明の詳細な説明】
【技術分野】
【０００１】本発明は地震、災害時に身を守ることのできる防災具である。地震などで家が揺れタンスなどが倒れてきても、この防災具の引き金を引けば瞬時に膨張し、テント型になるので物の下じきにならずに身を瞬時に守ることの出来る防災具である。
【背景技術】
【０００２】従来は地震などで家が揺れた時机の下に身を隠したり、防災帽子などを利用していたが、体全体を瞬時に守ることが出来なかった。
【発明の開示】
【発明が解決しようとする課題】
【０００３】地震など家が揺れた時、隠れたり、頭部を防災帽子などで守れない、体全体を瞬時に守れない問題を解決するためになされたものである。
【課題を解決するための手段】
【０００４】この防災具は瞬時に身を隠せるようにするため備え付けのガスボンベの引き金を引きエアーバックの様にテント型に膨張します。
その中に身を隠すことが出来ます。強い素材を使用しているためタンスなどが倒れてきても身を守ることの出来る構造である。
本発明は以上の構成よりなる災害時に瞬時に物の下じきにならずに身を守ることの出来るエアーテントである。
【発明の効果】
【０００５】本発明は地震、災害時に逃げ遅れたり、物の下じきになり、死亡や負傷する事故を減少できる防災具である。
お年寄り、障害者、子供、赤ちゃんなど特に素早く逃げることの出来ない方々に凄い有効です。就寝時などにご用意しておけば突然の地震災害などから身を守ることが出来ます。落下物からも身を守ることが出来ます。
【発明の実施するための最良の形態】
【０００６】本発明は地震災害時に瞬時に膨張し落下物や物の下じきになる事故を防止するために身を守ることの出来るような構造になっている。
まず備え付きのガスボンベ１の引き金２を引くとボンベ内のガスが噴出しガスボンベから繋がっているホース４を通りテントの内部チューブ３に入り膨張する構造である。
エアーバックの様に瞬時に膨張しテント型になる。そのテント型の中に身を隠すことが出来る。小さな出入口があるため物の下じきになっても出入り出来る。備え付けのボンベは取り変え用になっているため、この防災用エアーテントは何回でも使用が出来る。
軽るいのでどこでも使用が可能である。
【図面の簡単な説明】
【０００７】
【図１】  本発明の斜視図
【図２】  本発明の要部拡大の正面図
【符号の説明】
【０００８】１  ボンベ    ２  引き金    ３  内部チューブ
４  ホース    ５  出入口    ６  ファスナー
【図１】
2006297044.tif 000003
【図２】
2006297044.tif 000004
(57)【要約】      （修正有）【課題】一番疲れが目立つ、目の下の疲れを取る方法として、ツボ刺激と水分の皮膚からの補給を同時に提供する。【解決手段】目の下に、置く用具は吸水性の良いものを使用する。この用具を使用する場合、水又は化粧水又はこれに代わる液体を吸着させ使用する。又、この用具に永久磁石・トルマリン石等を配置し、ツボを刺激できるようにすることを特徴とする。【選択図】  図１
2006297025.tif 000002
【特許請求の範囲】
【請求項１】
目の下に疲れたときに現れる、くまを取るために開発した用具
【請求項２】
目の下に有るツボを刺激するために、永久磁石・トルマリン石等を使う。
【請求項３】
用具そのものは、吸水性の良い物を使い、水又は化粧水を吸水させ皮膚からの水分補給をすることが出来るようにする。
【発明の詳細な説明】
【技術分野】
【０００１】この発明は、目の下のツボを刺激することによって、目の下の皮膚を活き活きさせ、血行を促進する。
【背景技術】
【０００２】今までは、目の下のツボを刺激する方法と、皮膚の水分補給を別々に行う方法はあったが、同時に行うことは出来なかった。
【発明の開示】
【発明が解決しようとする課題】
【０００３】この発明は、目の下のツボを刺激するとともに、器具に吸着させた水分を利用して、直接肌から補うことができるようにする。
【課題を解決するための手段】
【０００４】目の下のツボを刺激するために永久磁石・トルマリン石等を使うとともに、吸水性の良い物を使用することを特徴とする。
【発明の効果】
【０００５】一番疲れが目立つ、目の下の皮膚の疲れを、効率的に取る。【０００６】ツボ刺激による、リラクゼーション効果がある。
【図面の簡単な説明】
【０００７】
【図１】  簡便図における使用図
【符号の説明】
【０００８】  １  目の下のお手入れシート本体
２  永久磁石・トルマリン石等
【図１】
2006297025.tif 000003
(57)【要約】【課題】従来のエクササイズバイクは足の筋肉は鍛えられるが、腕の筋肉を鍛える事ができなかった。【解決手段】エクササイズバイクのハンドル上部に腕で回転させるペダルを設置する事で、足と腕の筋肉を同時にトレーニングする事ができる。また、ペダル装置を取り外し、独立して使用する事も可能。【選択図】図２
2006297030.tif 000002
【特許請求の範囲】
【請求項１】
円筒型の重りにより負荷をかけることを特徴とした腕で回転させるペダル。
【請求項２】
前記ペダルを設けたことを特徴とするエクササイズバイク。
【発明の詳細な説明】
【技術分野】
【０００１】  この発明は、エクササイズ機器として腕の筋肉を鍛える為の重りの付いたペダルに関する。
【背景技術】
【０００２】  従来のエクササイズバイクは、足のみを回転させ運動を行う機器である。
【発明の開示】
【発明が解決しようとする課題】
【０００３】  しかしながら、以上の技術によれば、足の筋肉は鍛えられるが腕の筋肉は鍛えられない。そこで、この発明は腕の筋肉を鍛える為のペダル形状のエクササイズ機器を提供する事を課題とする。
【課題を解決するための手段】
【０００４】  以上の課題を解決するために、第一発明は、円筒内の重りにより回転に負荷がかかる腕で回転させるペダルである。
また、第二発明は、前記回転ペダルを設けたことを特徴とするエクササイズバイクである。
【発明の効果】
【０００５】  第一発明によれば、ペダルを前回転、後回転することにより腕の筋肉に負荷をかけトレーニングができる。また、第二発明によれば、足のトレーニングと同時に腕のトレーニングを行う事ができ、より多くの効果が期待できる。
【発明を実施するための最良の形態】
【０００６】  この発明の一実施形態を、図１に示す。
静止する円筒の内部に、両側のペダル１と接続された重りとなる円筒２を格納する。
ペダルを回転させる事により、内側の重りも回転する。【０００７】「実施形態の効果」
腕を前回転、後ろ回転させる事により、腕の押す動作、引く動作に負荷をかける事により、腕の内側・外側の筋肉を鍛える事が出来る。
またエクササイズバイクに取り付け、足と腕を同時にトレーニングする事が出来る。【０００８】「他の実施形態」
図２の実施形態では、ペダル装置をハンドル１の上部に取り付け、使用者の好みに合わせ角度を調整する事が可能。
【図面の簡単な説明】
【０００９】
【図１】この発明のペダル部分の一実施形態を示す斜視図である。
【図２】エクササイズバイクの上部にペダルを取りつけた形態を示す図面である。
【符号の説明】
【００１０】      １  腕で回転させるペダル            ２  重り
３  エクササイズバイクのハンドル  ４  角度が調整できる接続部分
【図１】
2006297030.tif 000003
【図２】
2006297030.tif 000004
(57)【要約】【課題】  制作日数の短縮化及びコスト低減と、高温殺菌や機械的力が過酷に加わる業務用漆器としての耐久性、耐熱性、安全性に優れた漆器の製造方法を提供する。【解決手段】  天然繊維を天然漆で接着して繊維シートを作成し、雌型、雄型の型に配置して圧縮成型した漆器素地を利用して、漆器制作日数の短縮化とコスト低減を図り、木製漆器と比較して弾力性に富み、壊れや割れが少なく、外気の温度、湿度の影響も皆無で軽くて丈夫な漆器を製造する。【選択図】  図１
2006297021.tif 000002
【特許請求の範囲】
【請求項１】
天然繊維を天然漆で接着した繊維シートを作成し、雌型、雄型の型に配置して圧縮成型した漆器素地を利用する漆器の製造方法。
【請求項２】
天然繊維を天然漆で接着した繊維シートを作成し、雌型、雄型の型に配置して圧縮成型した漆器素地に漆下地、漆塗りを施した漆器。
【発明の詳細な説明】
【技術分野】
【０００１】  この発明は、天然繊維を天然漆で接着した繊維シートを圧縮成形する素地製作方法により、容易に自由な形状の漆器製品を作り出せる製造方法に関する。
【背景技術】
【０００２】  従来の漆器素地には、木製、紙胎、藍胎、乾漆、木質系や合成樹脂系などがある。高級品として生産されている伝統的な漆器は、耐久性をもたすために、漆と米糊を混ぜた糊漆で麻布を素地面に張り付けたり、各産地独特の地の粉と呼ばれる天然鉱物およびそれを焼いて粉砕した粉体を漆に混練りして素地表面に塗布するなど、様々な工夫がされている。麻布を利用した乾漆技法は、原型から雄型もしくは雌型を石膏で型取りし、これに麻布、和紙などを漆で数枚貼り重ねて任意の厚みにした素地を成型し、石膏型から離型後漆を数回塗り重ねて仕上げる薄くて軽い丈夫な漆器で、主に漆芸作家と呼ばれている人が活用している技法である。
【発明の開示】
【発明が解決しようとする課題】
【０００３】  木製漆器においては、塗布された下塗りの密着性は耐久性を左右する大きな要素であるので、製造には熟練した職人の技術が必要不可欠となり、そのために高価になる。乾漆技法を活用して製作する漆器においては、一点一点丁寧に制作するのでさらに高価である。やはり、日常的に漆器を使用したいという現代においては、安価で日常の取り扱いレベルにも耐える耐久性のある漆器が求められている。また、大量に需要のある業務用漆器は、高温殺菌や機械的力が過酷に加わる食器洗浄機などを使用するので、強度の向上は大きな課題となっている。
【課題を解決するための手段】
【０００４】  本発明は、天然繊維を天然漆で接着した繊維シートを雌型、雄型の型に配置して圧縮成型する漆器素地の製造方法により、製造工程の簡素化と制作日数の短縮化およびコスト低減が図れるので課題は解決できる。また、繊維素材と天然漆使用で耐久性、耐熱性、安全性に優れた漆器素地を製造することで過酷な使用に対処することができる。
【発明の効果】
【０００５】  本発明の漆器素地は、天然繊維と天然漆の素材を利用した圧縮成形による製造方法なので、従来の木製漆器と比較して弾力性に富み、壊れや割れが少なく、漆器製品として外気の温度、湿度の影響は皆無である。その上加工に熟練を要せず、短時間で加工できるし、コストが低廉で量産可能なため大衆向きの業務用漆器を提供することができる。例えば食器洗浄機の過酷な条件下で使用される学校や病院、外食産業などへの新用途拡大も期待できる。さらに、温湿度の差が厳しい住環境での使用も可能であるので、海外への需要拡大も期待できる。
【発明を実施するための最良の形態】
【０００６】  本発明は、天然繊維を任意の厚さに麦漆で接着した繊維シートを型に配置し圧縮成型した後、変形防止用型で自然乾燥させると、総天然素材で木製素地より耐久性の高い漆器素地が制作できる。
【実施例】
【０００７】  図１のように素地となる繊維シートを天然麻布１もしくは天然繊維と寒冷紗２を麦漆で接着し作成する。麦漆３は、米粉と水を重量比１：４で配合した後、鍋に入れ火にかけて米糊を作る。その糊と漆を重量比１：１で配合し糊漆を作る。さらに小麦粉を水練りしてねかせた物を糊漆に重量比で２０％混合して作る。繊維シートが型に接着しないようにラップ４を剥離材として使用し、シートがシワにならないよう型に配置する。配置後、圧縮成型し完全乾燥しない間に型から素地を取り出す。図２のように素地が変形しないよう変形防止用型５にセットして自然乾燥を行う。乾燥後、漆ととのこを混ぜた下地材を刷毛でこすり付けて下地付けを行う。下地が完全に乾燥した後、下地研ぎを行い中塗り、上塗り漆を施したら木製漆器と比較して弾力性に富み、壊れや割れが少なく、薄くて丈夫な漆器を製作することができる。図３のように万能ハサミで自由な形状にカットできるので、挽物技術で困難な形状でも容易に製作できる。本発明で得た漆器素地に中塗り漆を塗布した後、１００℃で１８０分に設定した送風常温乾燥機で強制乾燥を行った結果、素地に何の変化もなく漆が乾燥した。その結果から高温殺菌や機械的力が過酷に加わる食器洗浄機も対応可能であることがわかる。また、木製漆器に比べてメンテナンスも簡単に行えるのが本発明漆器の特徴でもある。
【図面の簡単な説明】
【０００８】
【図１】漆器素地の作成図である。
【図２】変形防止用型で自然乾燥している図である。
【図３】自由な形にカットしている図である。
【符号の説明】
１天然繊維
２寒冷紗
３麦漆
４ラップ
５変形防止用型
【図１】
2006297021.tif 000003
【図２】
2006297021.tif 000004
【図３】
2006297021.tif 000005
(57)【要約】      （修正有）【課題】地震の振動による棚上の物品の落下破損を簡単な装置で防止する。【解決手段】装置の金具は棚の種類や用途によってアルミ、スチール、ステンレスのいずれかを使用して製作し、既存の棚、新作の棚のいづれにも簡単に取付け出来る金具とする。  棒の太さ長さ、金具の大きさ長さ等は、棚の大きさ、物品の大きさに応じて決める。  棚の物品は、震度４以上でないと落下しないので、震度３位で棒が落下するように、取付けてあるネジで調節する。  高級品の家具、棚には、装飾品同様に製作し取付け可能で、地震で落下しそうな棚には全部取付けられる。【選択図】  図２
2006297023.tif 000002
【特許請求の範囲】
【請求項１】
（１）地震の振動による棚の物品落下防止装置。
（地震安心棒）
地震の振動により、セットしてある棒（主にパイプ）が落下し、所定の位置に棒（主にパイプ）がセットされて、棚の物品の落下を防止する装置。
【請求項２】
（１）装置金具製作販売
▲１▼新製作品に組込み取り付ける装置金具の製作販売
▲２▼既存の製作品に取り付ける装置金具の製作販売
【発明の詳細な説明】
＊  地震の振動により
セットしてある棒が落下し、所定の位置に棒（主にパイプ）がセットされ、棚の物品の落下を防止する装置。
＊  装置金具製作
▲１▼新製作品に組み込み取り付ける装置金具製作。
▲２▼既存の製作品に取り付ける装置金具の製作。
＊  試作実施データ収集中
上記▲１▼▲２▼の一部の図面別紙に記載する
2006297023.tif 000003
2006297023.tif 000004
【手続補正書】
【提出日】平成17年9月14日(2005.9.14)
【手続補正１】
【補正対象書類名】明細書
【補正対象項目名】全文
【補正方法】変更
【補正の内容】
【発明の詳細な説明】
【技術分野】
【０００１】地震の振動により、棚の物品が落下する前に、棚に装置してある金具の棒が落下して、所定の位置に棒がセットされ、棚の物品の落下破損を防止する装置。【０００２】  装置金具は棚の種類によりアルミ、スチール、ステンレスのいずれかを使用して製作し、既存の棚、新作の棚に簡単に取付けられる金具です。棒はステンレスかスチールパイプを使用し、太さは棚の物品の大きさで決め、長さは棚の内幅で決める。
棒の収納にはコ型チャンネルを使用する、コ型チャンネルでないと棒に手、物品等が触れると棒が落下するから。
コ型チャンネルの内幅、長さは棒の太さ、長さで決める。
コ型チャンネルに取付けてある調節ねじで棒の落下を調節する。
（カムテープをパイプの前に１枚（厚さ１０／１００ｍｍ）張ると震度２位で落下、２枚（２０／１００ｍｍ）張ると震度３位で落下する等データ収集中）【０００３】  棒が振動で落下する通路幅（コ型チャンネル）は、パイプの太ささで決める。
棒が落下し所定の位置にセットされる高さは、棚の物品の大きさ棚の高さによって決める。
金具は、棚の大きさにあわせて製作取付け、高級品等の棚には、装飾品として色々な型に製作し取付けが可能です。
【図面の簡単な説明】
【０００４】
【図１】棚に装置をセットした正面図（上段の棚のみ）。
【図２】棚に装置をセットした棚の透視側面図。
【図３】棚にセットした装置の棒が振動で落下して、物品の落下防止位置に棒がセットされた正面図。
【図４】棚にセットした装置の棒が振動で落下して、物品の落下防止位置に棒がセットされた棚の透視側面図。
【符号の説明】
【０００５】
2006297023.tif 000005
【手続補正２】
【補正対象書類名】図面
【補正対象項目名】全図
【補正方法】変更
【補正の内容】
【図１】
2006297023.tif 000006
【図２】
2006297023.tif 000007
【図３】
2006297023.tif 000008
【図４】
2006297023.tif 000009
(57)【要約】【課題】膝下部にアクセサリを装着するだけでなく、デザインを自由に変更するという新しいファッションと楽しみ方ができる膝下部用の装身具を提供する。【解決手段】膝下部に巻回されるベルト本体３に、着脱自在の留め具１４、１５を設けた弓状の装飾具２０を接続することにより形成されている膝下部用の装身具を提供する。【選択図】    図１
2006297016.tif 000002
【特許請求の範囲】
【請求項１】
ベルトに着脱自在の弓状の装飾具を取り付けた装身具を、膝下部に装着することを特徴とする膝下部用装身具。
【請求項２】
前記ベルトが、長さ３５ｃｍから４５ｃｍ、幅１ｃｍから５ｃｍの皮革、又はビニール製でできており、複数のカシメ等の金具やストーン等で装飾されている請求項１記載の膝下部用装身具。
【請求項３】
前記弓状体が、チェーンの弓状体又は紐や金具に駒を複数個連結した弓状体、それらの弓状部に接続された飾り部からなり、弓状体と飾り部の個数に制限はない請求項１記載の膝下部用装身具。
【請求項４】
前記ベルトの底面に設けられた少なくとも２個以上の留め金により、前記弓状体を着脱自在に接続されることによって弓状に形成されるものであることを特徴とする請求項１記載の膝下部用装身具。
【請求項５】
前記弓状体の両端部に設けられた留め具により、弓状体を着脱自在にベルトへ接続されることによって弓状に形成されるものであることを特徴とする請求項１記載の膝下部用装身具。
【発明の詳細な説明】
【発明に属する技術分野】
【０００１】本発明は、膝下部に巻回されるベルトに弓状体の装飾具を着脱自在に取り付けることを可能とした膝下部用の装身具である。
【背景技術】
【０００２】従来の装身具はネックレス、ブレスレット、アンクレット、腰ベルト等が存在するが、ベルトと弓状の装飾具で構成された膝下部用の装身具は存在しなかった。【０００３】
【特許文献１】実用新案登録第３１０６９８３号
【発明の開示】
【発明が解決しようとする課題】
【０００４】本発明は、ベルトに弓状の装飾具を取り付けた膝下部用の装身具を提供するものであり、更には、弓状の装飾具の取り外しができ、なおかつデザインの交換ができるという楽しみ方を提供するものである。
【課題を解決するための手段】
【０００５】上記目的を達成する為の手段として、膝下部に巻回されるベルト本体３と、チェーン６の弓状体、又は紐や金具に駒７を複数個連結した弓状体、それらの弓状体に接続された飾り部８からなり、ベルト本体に少なくとも２個以上の係止金具１０、１１と、弓状体の両端部にそれぞれ着脱自在の留め具１４、１５を設け、それらが接続されることにより弓状に形成されるものであり、着脱自在の留め具を設けたことにより自由に弓状体の取り外しができ、なおかつデザインの交換を楽しむことができる膝下部用の装身具１である。
【実施例】
【０００６】本発明は膝下部に装着させるものとして、皮革やビニール製でできた長さ３５ｃｍから４５ｃｍ、幅１ｃｍから５ｃｍのベルトを使用するものであり、ベルト本体３の表面にはカシメ等の金具４やストーン５で装飾され、ベルト本体の底面には、弓状体と接続させるための少なくとも二個以上のプレート状の係止金具１０、１１を設けている。又、ベルトを使用することで膝下部の太さによって環状の調整も可能となる。【０００７】ベルト本体３に接続される弓状体２０に関しては、チェーン６の弓状体、又は紐に駒７を複数個連結した弓状体、それらの弓状部に接続された飾り部８、９から形成され、弓状体と飾り部の個数に制限はない。又、弓状体の両端部に設けられた留め具１４、１５には、カニカンや引き輪などを使用しており、弓状体の長さを調節する為に図７のようなアジャスター管１８、１９を設けても良い。【０００８】上記弓状体２０の接続については、ベルト本体に接続された係止金具１０に弓状体の留め具１４を、ベルト本体の係止金具１１に弓状体の留め具１５をそれぞれ接続することにより弓状に形成される。又、ベルト本体一つに対して設けられる係止金具の個数に制限はなく、係止金具の個数により弓状体の個数を増やすことも可能である。図８は、四つの係止金具を使用した場合の図である。【０００９】上記弓状体は、両端部に設けられた二箇所の留め具に対し、一つの弓状を形成するだけでなく、図７のように二つ以上の弓状を形成するものもある。
【発明の効果】
【００１０】以上説明したことから膝下部に装身具を装着することによりファッションをより楽しむことができる。
又、装身具の本体にベルトを使用することで、膝下部の太さによって環状の調整ができると同時にズレ落ちを防ぐことができ、なおかつベルトと弓状の装飾具を着脱自在にしたことで装飾具の取り外しや、デザインの交換を楽しむことができる。
【図面の簡単な説明】
【００１１】
【図１】膝下部用装身具を使用している状態を拡大した斜視図である。
【図２】この発明の第１の実施の形態を示す膝下部用装身具の正面図である。
【図３】膝下部用装身具を使用している状態を示す斜視図である。
【図４】図２のＡ部の拡大図である。
【図５】図２Ａ部のベルト本体を縦に切断した断面図である。
【図６】図２Ａ部のベルト本体を横に切断した断面図である。
【図７】第２の実施の形態を示す膝下部用装身具の正面図である。
【図８】第３の実施の形態を示す膝下部用装身具の正面図である。
【符号の説明】
【００１２】１  膝下部用装身具
１ａ  第２の膝下部用装身具
１ｂ  第３の膝下部用装身具
２  足
３  ベルト本体
４  カシメ
５  飾り用ストーン
６  チェーン
７  駒
７ａ  駒
７ｂ  駒
８、９  飾り部
１０、１１、１２、１３  プレート状の係止金具
１４、１５  留め具
１６  丸カン
１７  弓状体の端部
１８、１９  アジャスター管
２０  弓状の装飾具
【図１】
2006297016.tif 000003
【図２】
2006297016.tif 000004
【図３】
2006297016.tif 000005
【図４】
2006297016.tif 000006
【図５】
2006297016.tif 000007
【図６】
2006297016.tif 000008
【図７】
2006297016.tif 000009
【図８】
2006297016.tif 000010